(57)【要約】      （修正有）【課題】高密度光ファイバー接続口を提供する。【解決手段】二つの連結器３０ａ、３０ｂを有し、連結器に連結器外ケース３１ａ、３１ｂを備え、連結器外ケースの頂端が後方へ延伸し翼部３２ａ、３２ｂを有し、翼部の末端に凸体、凸体の前端に凹溝を備え、また収容器を有し、二芯光ファイバー線を合流でき、それは二つの上、下蓋体を有し、上、下蓋体には連結器の末端部分を収納でき、テール管４０を有し、滑りスリープ４１及びテールスリープ４２を備え、上、下蓋体が滑りスリープ中に収納され、及び押引ロッド５０を有し、それは本体部５１を有し、取っ手部５２が本体部のテール端に位置され、及び二つの分離の凸輪５３が本体部の前端に位置され、且つ凸輪を翼部の凹溝中に位置させ、作業者が押引ロッドの取ってに引き力を施すに当たり、押引ロッドの凸輪を連結器外ケースの凹溝に沿って後方へ移動し且つ下方へ翼部の凸体を押し、連結器とアダプターを離脱させる。【選択図】図６
0003217030.tif 000002
【実用新案登録請求の範囲】
【請求項１】
光ファイバーシステムのアダプターにおいて光ファイバー糸及び前記光ファイバー糸被覆した外皮を有する二芯光ファイバー線を連結し、二つの連結器、一つのテール管、収容器、及び、押引ロッドを有し、前記押引ロッドは接続口の着脱の力の作用点とすることができる高密度光ファイバー接続口において
前記連結器のそれぞれは、連結器外ケースを有し、その頂端が後方へ延伸し翼部を有し、前記翼部の末端に凸体が設けられ、前記凸体の前端が凹溝を有し、
前記収容器は、前記二芯光ファイバー線を合流するために、二つの分離した溝孔を有し、且つ前記溝孔が前記収容器の前端に位置し、各前記溝孔が前記連結器の末端部分を収納でき、
前記テール管は、滑りスリープ及びテールスリープを有し、前記テールスリープが前記滑りスリープの端部から後方へ延伸し、且つ前記収容器を前記滑りスリープに挿入でき、
前記押引ロッドは、本体部を有し、取っ手部が前記本体部のテール端に位置され、及び前記本体部の前端の二つの分離した凸輪を有し、且つ各前記凸輪を前記翼部の凹溝中に位置させ、作業員が前記押引ロッドの取っ手部に引く力を施すことで、前記凸輪を前記凹溝に沿って後方へ移動させ且つ下方へ前記凸体を押し、各前記連結器と前記アダプターを離脱させることを特徴とする高密度光ファイバー接続口。
【請求項２】
前記収容器は上蓋体及び下蓋体を有し、且つ前記下蓋体の一端を回転方式で前記上蓋体の一端に連結し、前記収容器のテール管が引き出されたとき、前記下蓋体を開き、前記二つの連結器をお互いに位置交換できることを特徴とする請求項１記載の高密度光ファイバー接続口。
【請求項３】
前記上蓋体は位置ガイド体を有し、且つ前記押引ロッドの本体部に長形ガイド孔を有し、且つ前記位置ガイド体を前記長形ガイド孔中に位置させ、前記押引ロッドを前記位置ガイド体に沿って直線に前進又は後退し、且つ前記押引ロッドの移動距離を制御することを特徴とする請求項２記載の高密度光ファイバー接続口。
【請求項４】
前記上蓋体の両側頂部に夫々滑り溝が設けられ、且つ前記下蓋体の両側底部に夫々滑り溝が設けられ、中に前記滑りスリープは両側アームを有し、前記両側アームの内壁面には上、下滑りレールを設け、前記上、下蓋体の滑り溝が前記上、下滑りレールに沿って滑り入/滑り出できるようになったことを特徴とする請求項２記載の高密度光ファイバー接続口。
【請求項５】
その一端が第一光ファイバー線及び第二光ファイバー線と連結し、且つ他端がアダプターに連結され、前記光ファイバー接続口において以下のものを含み、
収容器、それは上蓋体及び下蓋体を有し、前記上蓋体の第一後端が前記下蓋体の第二後端に枢軸連結し、前記下蓋体が前記上蓋体に対し回転でき且つ開き又は閉め、前記上蓋体が前記下蓋体と閉めた時、前記上蓋体の第一前端が前記下蓋体の第二前端と第一溝孔及び第二溝孔を形成し、且つ前記上蓋体と前記下蓋体の間に収納空間を形成し前記第一光ファイバー線及び前記第二光ファイバー線の設置を収納でき、
第一連結器、それは夫々前記第一溝孔内に設け、その一端が前記第一光ファイバー線に連結し、且つ他端が前記アダプターの第一連結孔に連結し、及び
第二連結器、それは夫々前記第二溝孔内に設け、その一端が前記第二光ファイバー線に連結し、且つ他端が前記アダプターの第二連結孔の連結し、その中に前記上蓋体と前記下蓋体が開かれたとき、前記第一連結器が前記第二連結器と位置交換でき、前記第一連結器が前記第二溝孔内に設け、且つ前記第二連結器が前記第一溝孔内に設けられていることを特徴とする高密度光ファイバー接続口。
【請求項６】
またテール管を有し、前記テール管は前記収容器に被せられ、前記テール管が滑りスリープ及びテールスリープを有し、前記テールが前記滑りスリープの端部から後方へ延伸してなり、且つ前記収容器を前記滑りスリープ中に挿入したことを特徴とする請求項１記載の高密度光ファイバー接続口。
【請求項７】
また滑りスリープを有し、前記滑りスリープは前記収容器に被せ、前記滑りスリープは上滑りレール及び下滑りレールを有し、前記上滑りレール及び下滑りレールが夫々前記上蓋体表面の第一滑り溝上及び前記下蓋体表面の第二滑り溝上に位置され、前記滑りスリープが前記収容器に対し水平方向へ移動でき、前記滑りスリープは前記収容器に被せたとき、前記下蓋体と前記上蓋体が閉め状態となったことを特徴とする請求項１記載の高密度光ファイバー接続口。
【請求項８】
また滑りスリープを有し、前記滑りスリープは前記収容器に被せ、前記滑りスリープが側アームを有し前記収容器的の側壁上に被せ、前記側アームが上滑りレール及び下滑りレールを有し、前記上滑りレール及び下滑りレールが夫々前記上蓋体表面の第一滑り溝上及び前記下蓋体表面の第二滑り溝上に位置され、前記側アームが前記収容器において水平方向に沿って移動でき、前記側アームは前記収容器に被せた時、前記下蓋体と前記上蓋体が閉め状態となったことを特徴とする請求項１記載の高密度光ファイバー接続口。
【請求項９】
またU型滑りスリープを有し、前記U型滑りスリープは前記収容器に被せられ、前記U型滑りスリープは第一側アーム及び第二側アームを有し、前記第一側アーム及び第二側アームが夫々前記収容器の二つの側壁上に被せられ、前記第一側アームが上滑りレール及び下滑りレールを有し、前記上滑りレール及び下滑りレールが夫々前記上蓋体表面における第一滑り溝上及び前記下蓋体表面の第二滑り溝上に位置され、前記U型滑りスリープが前記収容器に対し水平方向に沿って移動でき、前記U型滑りスリープは前記収容器に被せた時、前記下蓋体と前記上蓋体が閉め状態となったことを特徴とする請求項１記載の高密度光ファイバー接続口。
【請求項１０】
前記第一連結器は連結器外ケースを有し、前記連結器外ケース頂端に後方へ延伸し弾性のある翼部が設けられ、前記翼部の前端が前記連結器外ケース上に結合し、そして前記翼部の末端がぶら下がって前記第一連結器上に位置され、前記翼部の末端には第一凸体を設け、且つ前記翼部の末端と前記翼部の前端の間に第二凸体を有し、前記第一凸体が前記第二凸体と連動関係になり、前記第一連結器が前記アダプターの前記第一連結孔までに連結した時、前記第二凸体が前記第一連結孔の第三溝孔上にチャックし、前記第一凸体が下方へ移動する時、同時に第二凸体を連れて下方へ移動し且つ同時に前記第三溝孔を離れ、前記第一連結器を前記前記第一連結孔を離脱させることを特徴とする請求項１記載の高密度光ファイバー接続口。
【請求項１１】
前記第一連結器はまた弾性のある翼部を有し、それは前記収容器に押引ロッドを設けるためものであり、前記翼部の前端が前記第一連結器上に結合し、且つ前記翼部の末端がぶら下がって前記第一連結器上に位置され、前記翼部の末端には第一凸体を設け且つ前記押引ロッドのガイド孔内に位置され且つ頂端表面が前記ガイド孔から突出し、前記押引ロッドが水平へ移動する時、前記第一凸体が前記ガイド孔に押し出され下方へ移動し且つその頂端表面が前記ガイド孔内に位置されることを特徴とする請求項１記載の高密度光ファイバー接続口。
【請求項１２】
前記第一連結器はまた弾性のある第一翼部を有し、前記第二連結器はまた弾性のある第二翼部を有し、前記収容器にはまた押引ロッドを設け、前記第一翼部の前端が前記第一連結器上に結合し、且つ前記第一翼部の末端がぶら下がって前記第一連結器上に位置され、前記第二翼部の前端が前記第二連結器上に結合し、且つ前記第二翼部の末端がぶら下がって前記第二連結器上に位置され、前記第一翼部及び前記第二翼部の末端に夫々第一凸体及び第二凸体を設け、夫々前記押引ロッドの第一ガイド孔及び第二ガイド孔内に位置され、その中に前記第一凸体及び前記第二凸体の頂端表面が夫々前記第一ガイド孔及び前記第二ガイド孔から突出し、前記押引ロッドが水平方向に沿って移動する時、前記第一凸体及び前記第二凸体が前記第一ガイド孔及び前記第二ガイド孔に押し出されて下方へ移動し、前記第一凸体及び前記第二凸体の頂端表面を夫々前記ガイド孔内までに下降させることを特徴とする請求項１記載の高密度光ファイバー接続口。
【請求項１３】
前記第一連結器はまた弾性のある第一翼部を有し、前記第二連結器はまた弾性のある第二翼部を有し、前記収容器にまた押引ロッドを設けるためので、前記第一翼部の前端が前記第一連結器上に結合し、且つ前記第一翼部の末端がぶら下がって前記第一連結器上に位置され、前記第二翼部の前端が前記第二連結器上に結合し、且つ前記第二翼部の末端がぶら下がって前記第二連結器上に位置され、前記第一翼部及び前記第二翼部の末端に夫々第一凹溝及び一第二凹溝を設け、前記押引ロッド前端に第一凸輪及び一第二凸輪を設け、夫々前記第一凹溝及び前記第二凹溝上に位置され、前記押引ロッド水平方向に沿って移動する時、前記第一凹溝及び前記第二凹溝が前記第一凸輪及び前記第二凸輪に押し出されて下方へ移動することを特徴とする請求項１記載の高密度光ファイバー接続口。
【請求項１４】
前記第一連結器はまた弾性のある第一翼部を有し、前記第二連結器はまた弾性のある第二翼部を有し、前記収容器頂端においてまた弾性片を設け、前記第一翼部及び前記第二翼部の末端は第一凸体及び一第二凸体を有し且つ前記弾性片下方に位置され、前記弾性片が同時に前記第一凸体及び前記第二凸体の上表面に接触し、前記弾性片が下方へ圧迫する時、同時に前記第一凸体及び前記第二凸体を連れて下方へ移動することを特徴とする請求項１記載の高密度光ファイバー接続口。
【請求項１５】
また押引ロッドを有し、前記押引ロッドが前記上蓋体上に設置され、前記上蓋体は位置ガイド体を有し、前記位置ガイド体が前記押引ロッドのガイド孔内に位置され、前記位置ガイド体の側壁に凸体チャックを設け、前記凸体チャックが前記ガイド孔側壁の台形凸体上に位置され、押引ロッドを前記上蓋体上に固定させるためので、前記押引ロッドが前記上蓋体上において水平方向に沿って移動することを特徴とする請求項１記載の高密度光ファイバー接続口。
【請求項１６】
また押引ロッドを有し、それは前記上蓋体上に設置され、前記上蓋体に位置ガイド体を備え、前記位置ガイド体が前記押引ロッドのガイド孔内に位置され、前記ガイド孔の最大長さが前記位置ガイド体の最大長さより大きいし、前記押引ロッドが上蓋体上において水平方向に沿って移動することを特徴とする請求項１記載の高密度光ファイバー接続口。
【請求項１７】
前記上蓋体内は有二つの凸体を有し、作業者が組立する時に予め前記第一光ファイバー線及び前記第二光ファイバー線の予想長さを残し、これは前記第一連結器及び前記第二連結器が位置交換する時に引っ張りによる損害を避けるためのものであることを特徴とする請求項１記載の高密度光ファイバー接続口。
【請求項１８】
また押引ロッドを有し、前記押引ロッドが前記収容器に設置され、前記押引ロッドの取って部の後端底部に凹溝を持つことを特徴とする請求項１記載の高密度光ファイバー接続口。
【請求項１９】
その一端が第一光ファイバー線に連結し、且つ他端がアダプターまでに連結している高密度光ファイバー接続口であって、第一連結器と収容器とをを有し、：
前記第一連結器は、第一連結器外ケースを有し、前記第一連結器外ケースの頂端には後方延伸し且つ弾性のある第一翼部を設け、前記第一翼部の末端に第一凸体が設けられ、
前記収容器は、第一溝孔を有し且つ前記収容器の前端に位置され、前記第一溝孔が前記第一連結器の末端部分を収納でき、及び、
押引ロッド、それは水平に前記収容器の上表面に設置され、前記押引ロッドが第二溝孔を有し前記第一凸体に被せるためものであり、且つ前記第一凸体の頂端が前記第二溝孔から突出し、前記押引ロッドが水平に後方へ移動する時、前記第一凸体が下方へ移動し且つ前記第一凸体の頂端を前記第二溝孔内までに移動させることを特徴とする高密度光ファイバー接続口。
【請求項２０】
前記収容器は上蓋体及び下蓋体を有し、前記上蓋体の第一後端が前記下蓋体の第二後端に枢軸連結され、前記下蓋体が前記上蓋体に対して回転でき且つ開き又は閉めにして、前記上蓋体が前記下蓋体と閉めした時、前記上蓋体の第一前端は前記下蓋体の第二前端と前記第一溝孔を形成し、前記第一連結器の末端部分を収納するためのものであることを特徴とする請求項１９記載の高密度光ファイバー接続口。
【請求項２１】
前記収容器はまた第三溝孔を有し、第二連結器の末端部分を収納するためので、前記第二連結器に第二連結器外ケースを備え、前記第二連結器外ケースの頂端には後方へ延伸且つ弾性のある第二翼部を設け、前記第二翼部の末端には第二凸体を設け、前記押引ロッドは第四溝孔を有し前記第二凸体に被せ、且つ前記第二凸体の頂端が前記第四溝孔から突出し、前記押引ロッドが水平方向に沿って後方へ移動する時、前記第一凸体及び前記第二凸体が下方へ移動し、且つ夫々前記第一凸体及び前記第二凸体の頂端を夫々前記第二溝孔及び前記第四溝孔内までに移動させることを特徴とする請求項１９記載の高密度光ファイバー接続口。
【請求項２２】
またテール管を有し、前記テール管は前記収容器に被せ、前記テール管に滑りスリープ及びテールスリープを備え、前記テールスリープが前記滑りスリープの端部から後方へ延伸してなり、且つ前記収容器を前記滑りスリープ中に挿入したことを特徴とする請求項１９記載の高密度光ファイバー接続口。
【請求項２３】
また滑りスリープを有し、前記滑りスリープは前記収容器に被せ、前記滑りスリープに上滑りレール及び下滑りレールを備え、前記上滑りレール及び下滑りレールが夫々前記収容器表面の第一滑り溝上及び前記収容器下表面の第二滑り溝上に位置され、前記滑りスリープが前記収容器において水平方向に沿って移動できることを特徴とする請求項１９記載の高密度光ファイバー接続口。
【請求項２４】
またU型滑りスリープを有し、前記U型滑りスリープは前記収容器に被せ、前記U型滑りスリープに第一側アーム及び一第二側アームを備え、前記第一側アーム及び第二側アームが夫々前記収容器的二つの側壁上に被せ、前記第一側アームに上滑りレール及び一下滑りレールを備え、前記上滑りレール及び下滑りレールが夫々前記収容器表面の第一滑り溝上及び前記収容器下表面の第二滑り溝上に位置され、前記U型滑りスリープが前記収容器に対し水平方向に沿って移動できることを特徴とする請求項１９記載の高密度光ファイバー接続口。
【請求項２５】
前記第一翼部上はまた第二凸体を有し、前記第二凸体が前記第一凸体前縁に位置され、前記第一連結器が前記アダプターの第一連結孔までに連結する時、前記第二凸体が前記第一連結孔の第三溝孔上にチャックされ、前記第一凸体が下方へ移動する時、同時に第二凸体を連れて下方へ移動し且つ同時に前記第三溝孔を離れ、前記第一連結器を前記前記第一連結孔を離脱させることを特徴とする請求項１９記載の高密度光ファイバー接続口。
【請求項２６】
前記収容器はまた第三溝孔を有し、それは第二連結器の末端部分を収納するためので、且つ前記収容器が上蓋体及び下蓋体から構成し、前記上蓋体の第一後端が前記下蓋体の第二後端に枢軸連結され、前記下蓋体が前記上蓋体に対し回転して開き又は閉め、前記下蓋体が前記上蓋体に対し回転して開いたとき、前記第一連結器が前記第二連結器と位置交換でき、前記第一連結器が前記第三溝孔内に設置され、且つ前記第二連結器が前記第一溝孔内に設置されることを特徴とする請求項１９記載の高密度光ファイバー接続口。
【請求項２７】
前記第二連結器の一端は第二光ファイバー線を連結でき、且つ前記収容器内にはまた二つの凸体を備え、それは作業者が組み立てる時に予め前記第一光ファイバー線及び前記第二光ファイバー線の予備長さを残すためので、前記第一連結器及び前記第二連結器が位置交換する時に引っ張りによる損害を避けることを特徴とする請求項１９記載の高密度光ファイバー接続口。
【請求項２８】
前記収容器表面には位置ガイド体が設けられ、前記位置ガイド体が前記押引ロッドのガイド孔内に位置し、その中に前記位置ガイド体の側壁に凸体を備え、前記ガイド孔側壁の台形凸体上にチャックされ、押引ロッドを前記収容器に固定させ、前記押引ロッドが前記収容器に対し水平方向に沿って移動できることを特徴とする請求項１９記載の高密度光ファイバー接続口。
【請求項２９】
前記収容器表面には位置ガイド体を設け、前記位置ガイド体が前記押引ロッドのガイド孔内に位置され、前記ガイド孔の最大長さが前記位置ガイド体の最大長さより大きいことを特徴とする請求項１９記載の高密度光ファイバー接続口。
【請求項３０】
前記押引ロッドの取って部の後端底部には凹溝を備えることを特徴とする請求項１９記載の高密度光ファイバー接続口。
【請求項３１】
前記第一翼部はまた凹溝を有し、前記凹溝が前記第一凸体前縁に位置され、前記押引ロッド前端に凸輪を備え、前記凸輪が前記凹溝上に位置され、前記押引ロッドが水平方向に沿って後方へ移動する時、前記凸輪が前記凹溝に当たり、凸体を下方へ移動させ且つ前記第一凸体の頂端を前記第二溝孔内までに移動させることを特徴とする請求項１９記載の高密度光ファイバー接続口。
【考案の詳細な説明】
【技術分野】
【０００１】
本考案は高密度光ファイバー接続口に関する。
【背景技術】
【０００２】
光ファイバーは直径が小さく、容量が大きく、転送が速い等、優れた点を備えるので、近年、転送チャンネルとして既に通信業界の主流になった。現在の技術では、光ファイバーシステムにおいて光ファイバー接続口をカップリングの連結コアとして使用し、空間的な利用性及び作業的な利便性を向上するために、業界はすでに広範に高密度光ファイバー接続口を使用している。
【０００３】
図1、図2A及び図2Bに示すように、前記高密度光ファイバー接続口10は収容器11を有し、二つの光ファイバー線がその収容器11に合流し、前記収容器11の内部に二つのチャンネル、二つの連結器12を備え、夫々連結器外ケース13が前記収容器11のチャンネルに組み立てられ、且つ一部分が前記収容器11前端から突出し、一つのヘッドスリープ14が前記連結器外ケース13中に取り付けられ、前記光ファイバー線の光ファイバー糸15が前記ヘッドスリープ14中に延伸できるようにして、前記連結器外ケース13の頂端が後方へ延伸して翼部16となった、押引ロッド17を有し、それは前記高密度光ファイバー接続口10が着脱時に力出し点を提供でき、前記押引ロッド17の頂端には二つのリング18を設け、且つ前記リング18を前記翼部16末端にチャック（chuck）部19に被せ、連動関係を形成させる。
【０００４】
前記高密度光ファイバー接続口10は前記アダプター70を外す時、作業者が前記押引ロッド17に対して後方への力を施し(図2Aに示す)、前記連結器外ケース13の翼部16を下方へ変形させてアダプター70を外すことができる。図2Bに示すように。押引ロッド17が後方への引き力を受けられた時、前記リング18が傾斜力P3で前記チャック部19を引きながら下方へ移動させる。実質的に、前記チャック部19がただ第一分力P2の力を受けそれを下方へ移動させ、且つ第二分力P4及びリング自身変形力(即ち傾斜力)P1が消耗されてしまい、従って、前記押引ロッド17が必ず更なる引き力を施してならば前記チャック部19を下方へ移動させることが可能となり、この欠点が解決することが必要である。
【０００５】
また、二つの連結器12は光転送チャンネルで、一つが光送信用のチャンネルで、もう一つが光受信用のチャンネルである、前記収容器11は逆鉤ロック構造であるので、専用工具を使用して二つの連結器を交換できるがきわめて不便であり、従って、光信号が固定チャンネルにおいて送受信を行なわなければならないため、この欠点も克服することが必要である。
【考案の概要】
【考案が解決しようとする課題】
【０００６】
本考案の主要目的は、軽い力によって高密度光ファイバー接続口と光ファイバーシステムのアダプターを離脱することができるようにし、既存技術の問題を解決することにある。
【０００７】
本考案の次の目的はヘッドスリープ組合をお互いに交換できるような高密度光ファイバー接続口を提供し、光ファイバーシステムの需要を満たすことである。
【０００８】
前記の効果と目的を達成するために、本考案は以下を提供する。
【０００９】
高密度光ファイバー接続口は、アダプターにおける光ファイバーシステムにおいて二本の光ファイバー線を連結し、前記光ファイバー線が光ファイバー糸及び前記光ファイバー糸を被覆した外皮を有し、高密度光ファイバー接続口は二つの連結器、一つのテール(tail)管及び押引ロッドを有し、前記押引ロッドは接続口が着脱の力出し点とすることができ、前記高密度光ファイバー接続口の特徴は以下のものを有し：
各前記連結器は、連結器外ケースを有し、その頂端が後方へ延伸し翼部があり、前記翼部の末端に凸体を設け、前記凸体の前端が凹溝を有し、
収容器は、前記二本の光ファイバー線を合流するために、二つの分離の溝孔を有し、且つ前記溝孔が前記収容器の前端に位置し、各前記溝孔が前記連結器の末端部分を収納でき、
前記テール管は、滑りスリープ及びテールスリープを有し、前記テールスリープが前記滑りスリープの端部から後方へ延伸してなり、且つ前記収容器を前記滑りスリープに挿入し、及び、
前記押引ロッドは、本体部を有し、片手が前記本体部のテール端の取っ手部を握り、及び前記本体部の前端の二つの分離の凸輪を有し、且つ各前記凸輪を前記翼部の凹溝中に位置させ、作業員が前記押引ロッドの取っ手部に引き力を施すに当たり、前記凸輪を前記凹溝に沿って後方へ移動させ且つ下方へ前記凸体を押し、各前記連結器を前記アダプターを離脱させる。
【００１０】
高密度光ファイバー接続口は、前記収容器は上蓋体及び下蓋体を有し、且つ前記下蓋体の一端を回転方式で前記上蓋体の一端に連結し、前記収容器のテール管が引き出されたとき、前記下蓋体を開き、前記二つの連結器をお互いに位置交換できる。
【００１１】
高密度光ファイバー接続口は、前記上蓋体は位置ガイド体を有し、且つ前記押引ロッドの本体部に長形ガイド孔を有し、且つ前記位置ガイド体を前記長形ガイド孔中に位置させ、前記押引ロッドを前記位置ガイド体に沿って直線に前進又は後退し、且つ前記押引ロッドの移動距離を制御する。
【００１２】
高密度光ファイバー接続口は、前記上蓋体の両側頂部に夫々滑り溝を設け、且つ前記下蓋体の両側底部に夫々滑り溝を設け、中に前記滑りスリープは両側アームを有し、前記両側アームの内壁面には上、下滑りレールを設け、前記上、下蓋体の滑り溝が前記上、下滑りレールに沿って滑り入/滑り出できるようになった。
【００１３】
高密度光ファイバー接続口は、その一端が第一光ファイバー線及び第二光ファイバー線と連結し、且つ他端がアダプターに連結され、前記光ファイバー接続口において以下のものを含み、
収容器、それは上蓋体及び下蓋体を有し、前記上蓋体の第一後端が前記下蓋体の第二後端に枢軸連結し、前記下蓋体が前記上蓋体に対し回転でき且つ開き又は閉め、前記上蓋体が前記下蓋体と閉めた時、前記上蓋体の第一前端が前記下蓋体の第二前端と第一溝孔及び第二溝孔を形成し、且つ前記上蓋体と前記下蓋体の間に収納空間を形成し前記第一光ファイバー線及び前記第二光ファイバー線の設置を収納でき、
第一連結器、それは夫々前記第一溝孔内に設け、その一端が前記第一光ファイバー線に連結し、且つ他端が前記アダプターの第一連結孔に連結し、及び
第二連結器、それは夫々前記第二溝孔内に設け、その一端が前記第二光ファイバー線に連結し、且つ他端が前記アダプターの第二連結孔の連結し、その中に前記上蓋体と前記下蓋体が開かれたとき、前記第一連結器が前記第二連結器と位置交換でき、前記第一連結器が前記第二溝孔内に設け、且つ前記第二連結器が前記第一溝孔内に設ける。
【００１４】
高密度光ファイバー接続口は、またテール管を有し、前記テール管は前記収容器に被せ、前記テール管が滑りスリープ及びテールスリープを有し、前記テールが前記滑りスリープ的の端部に被せて後方へ延伸してなり、且つ前記収容器を前記滑りスリープ中に挿入した。
【００１５】
高密度光ファイバー接続口は、また滑りスリープを有し、前記滑りスリープは前記収容器に被せ、前記滑りスリープは上滑りレール及び下滑りレールを有し、前記上滑りレール及び下滑りレールが夫々前記上蓋体表面の第一滑り溝上及び前記下蓋体表面の第二滑り溝上に位置され、前記滑りスリープが前記収容器に対し水平方向へ移動でき、前記滑りスリープは前記収容器に被せたとき、前記下蓋体と前記上蓋体が閉め状態となった。
【００１６】
高密度光ファイバー接続口は、また滑りスリープを有し、前記滑りスリープは前記収容器に被せ、前記滑りスリープが側アームを有し前記収容器的の側壁上に被せ、前記側アームが上滑りレール及び下滑りレールを有し、前記上滑りレール及び下滑りレールが夫々前記上蓋体表面の第一滑り溝上及び前記下蓋体表面の第二滑り溝上に位置され、前記側アームが前記収容器において水平方向に沿って移動でき、前記側アームは前記収容器に被せた時、前記下蓋体と前記上蓋体が閉め状態となった。
【００１７】
高密度光ファイバー接続口は、またU型滑りスリープを有し、前記U型滑りスリープは前記収容器に被せ、前記U型滑りスリープは第一側アーム及び第二側アームを有し、前記第一側アーム及び第二側アームが夫々前記収容器の二つの側壁上に被せ、前記第一側アームが上滑りレール及び下滑りレールを有し、前記上滑りレール及び下滑りレールが夫々前記上蓋体表面における第一滑り溝上及び前記下蓋体表面の第二滑り溝上に位置され、前記U型滑りスリープが前記収容器に対し水平方向に沿って移動でき、前記U型滑りスリープは前記収容器に被せた時、前記下蓋体と前記上蓋体が閉め状態となった。
【００１８】
高密度光ファイバー接続口は、前記第一連結器は連結器外ケースを有し、前記連結器外ケース頂端に後方へ延伸し弾性のある翼部を設け、前記翼部の前端が前記連結器外ケース上に結合し、そして前記翼部の末端がぶら下がって前記第一連結器上に位置され、前記翼部の末端には第一凸体を設け、且つ前記翼部の末端と前記翼部の前端の間に第二凸体を有し、前記第一凸体が前記第二凸体と連動関係になり、前記第一連結器が前記アダプターの前記第一連結孔までに連結した時、前記第二凸体が前記第一連結孔の第三溝孔上にチャックし、前記第一凸体が下方へ移動する時、同時に第二凸体を連れて下方へ移動し且つ同時に前記第三溝孔を離れ、前記第一連結器を前記前記第一連結孔を離脱させる。
【００１９】
高密度光ファイバー接続口は、前記第一連結器はまた弾性のある翼部を有し、それは前記収容器に押引ロッドを設けるためので、前記翼部の前端が前記第一連結器上に結合し、且つ前記翼部の末端がぶら下がって前記第一連結器上に位置され、前記翼部の末端には第一凸体を設け且つ前記押引ロッドのガイド孔内に位置され且つ頂端表面が前記ガイド孔から突出し、前記押引ロッドが水平へ移動する時、前記第一凸体が前記ガイド孔に押し出され下方へ移動し且つその頂端表面が前記ガイド孔内に位置される。
【００２０】
高密度光ファイバー接続口は、前記第一連結器はまた弾性のある第一翼部を有し、前記第二連結器はまた弾性のある第二翼部を有し、前記収容器にはまた押引ロッドを設け、前記第一翼部の前端が前記第一連結器上に結合し、且つ前記第一翼部の末端がぶら下がって前記第一連結器上に位置され、前記第二翼部の前端が前記第二連結器上に結合し、且つ前記第二翼部の末端がぶら下がって前記第二連結器上に位置され、前記第一翼部及び前記第二翼部の末端に夫々第一凸体及び第二凸体を設け、夫々前記押引ロッドの第一ガイド孔及び第二ガイド孔内に位置され、その中に前記第一凸体及び前記第二凸体の頂端表面が夫々前記第一ガイド孔及び前記第二ガイド孔から突出し、前記押引ロッドが水平方向に沿って移動する時、前記第一凸体及び前記第二凸体が前記第一ガイド孔及び前記第二ガイド孔に押し出されて下方へ移動し、前記第一凸体及び前記第二凸体の頂端表面を夫々前記ガイド孔内までに下降させる。
【００２１】
高密度光ファイバー接続口は、前記第一連結器はまた弾性のある第一翼部を有し、前記第二連結器はまた弾性のある第二翼部を有し、前記収容器においてまた押引ロッドを設け、前記第一翼部の前端が前記第一連結器上に結合し、且つ前記第一翼部の末端がぶら下がって前記第一連結器上に位置され、前記第二翼部の前端が前記第二連結器上に結合し、且つ前記第二翼部の末端がぶら下がって前記第二連結器上に位置され、前記第一翼部及び前記第二翼部の末端に夫々第一凹溝及び一第二凹溝を設け、前記押引ロッド前端に第一凸輪及び一第二凸輪を設け、夫々前記第一凹溝及び前記第二凹溝上に位置され、前記押引ロッド水平方向に沿って移動する時、前記第一凹溝及び前記第二凹溝が前記第一凸輪及び前記第二凸輪に押し出されて下方へ移動する。
【００２２】
高密度光ファイバー接続口は、前記第一連結器はまた弾性のある第一翼部を有し、前記第二連結器はまた弾性のある第二翼部を有し、前記収容器頂端においてまた弾性片を設け、前記第一翼部及び前記第二翼部の末端は第一凸体及び一第二凸体を有し且つ前記弾性片下方に位置され、前記弾性片が同時に前記第一凸体及び前記第二凸体の上表面に接触し、前記弾性片が下方へ圧迫する時、同時に前記第一凸体及び前記第二凸体を連れて下方へ移動する。
【００２３】
高密度光ファイバー接続口は、また押引ロッドを有し、前記押引ロッドが前記上蓋体上に設置され、前記上蓋体は位置ガイド体を有し、前記位置ガイド体が前記押引ロッドのガイド孔内に位置され、前記位置ガイド体の側壁に凸体チャックを設け、前記凸体チャック（chuck）が前記ガイド孔側壁の台形凸体上に位置され、押引ロッドを前記上蓋体上に固定させるためので、前記押引ロッドが前記上蓋体上において水平方向に沿って移動する。
【００２４】
高密度光ファイバー接続口は、また押引ロッドを有し、それは前記上蓋体上に設置され、前記上蓋体に位置ガイド体を備え、前記位置ガイド体が前記押引ロッドのガイド孔内に位置され、前記ガイド孔の最大長さが前記位置ガイド体の最大長さより大きいし、前記押引ロッドが上蓋体上において水平方向に沿って移動する。
【００２５】
高密度光ファイバー接続口は、前記上蓋体内は有二つの凸体を有し、作業者が組立する時に予め前記第一光ファイバー線及び前記第二光ファイバー線の予想長さを残し、これは前記第一連結器及び前記第二連結器が位置交換する時に引っ張りによる損害を避けるためものである。
【００２６】
高密度光ファイバー接続口は、また押引ロッドを有し、前記押引ロッドが前記収容器に設置され、前記押引ロッドの取っ手部の後端底部に凹溝を持つ。
【００２７】
高密度光ファイバー接続口は、その一端が第一光ファイバー線に連結し、且つ他端がアダプターまでに連結している高密度光ファイバー接続口において以下ものを有し：
第一連結器、それは第一連結器外ケースを有し、前記第一連結器外ケースの頂端には後方延伸し且つ弾性のある第一翼部を設け、前記第一翼部の末端に第一凸体設け、
収容器、それは第一溝孔を有し且つ前記収容器の前端に位置され、前記第一溝孔が前記第一連結器の末端部分を収納でき、及び、
押引ロッド、それは水平に前記収容器の上表面に設置され、前記押引ロッドが第二溝孔を有し前記第一凸体に被せるためので、且つ前記第一凸体の頂端が前記第二溝孔から突出し、前記押引ロッドが水平に後方へ移動する時、前記第一凸体が下方へ移動し且つ前記第一凸体の頂端を前記第二溝孔内までに移動させる。
【００２８】
高密度光ファイバー接続口は、前記収容器は上蓋体及び下蓋体を有し、前記上蓋体の第一後端が前記下蓋体の第二後端に枢軸連結され、前記下蓋体が前記上蓋体に対して回転でき且つ開き又は閉めにして、前記上蓋体が前記下蓋体と閉めした時、前記上蓋体の第一前端は前記下蓋体の第二前端と前記第一溝孔を形成し、前記第一連結器の末端部分を収納するためのである。
【００２９】
高密度光ファイバー接続口は、前記収容器はまた第三溝孔を有し、第二連結器の末端部分を収納するためので、前記第二連結器に第二連結器外ケースを備え、前記第二連結器外ケースの頂端には後方へ延伸且つ弾性のある第二翼部を設け、前記第二翼部の末端には第二凸体を設け、前記押引ロッドは第四溝孔を有し前記第二凸体に被せ、且つ前記第二凸体の頂端が前記第四溝孔から突出し、前記押引ロッドが水平方向に沿って後方へ移動する時、前記第一凸体及び前記第二凸体が下方へ移動し、且つ夫々前記第一凸体及び前記第二凸体の頂端を夫々前記第二溝孔及び前記第四溝孔内までに移動させる。
【００３０】
高密度光ファイバー接続口は、またテール管を有し、前記テール管を前記収容器に被せ、前記テール管に滑りスリープ及びテールスリープを備え、前記テールスリープが前記滑りスリープの端部から後方へ延伸してなり、且つ前記収容器を前記滑りスリープ中に挿入した。
【００３１】
高密度光ファイバー接続口は、また滑りスリープを有し、前記滑りスリープは前記収容器に被せ、前記滑りスリープに上滑りレール及び下滑りレールを備え、前記上滑りレール及び下滑りレールが夫々前記収容器表面の第一滑り溝上及び前記収容器下表面の第二滑り溝上に位置され、前記滑りスリープが前記収容器において水平方向に沿って移動できる。
【００３２】
高密度光ファイバー接続口は、またU型滑りスリープを有し、前記U型滑りスリープは前記収容器に被せ、前記U型滑りスリープに第一側アーム及び一第二側アームを備え、前記第一側アーム及び第二側アームが夫々前記収容器的二つの側壁上に被せ、前記第一側アームに上滑りレール及び一下滑りレールを備え、前記上滑りレール及び下滑りレールが夫々前記収容器表面の第一滑り溝上及び前記収容器下表面の第二滑り溝上に位置され、前記U型滑りスリープが前記収容器に対し水平方向に沿って移動できる。
【００３３】
高密度光ファイバー接続口は、前記第一翼部上はまた第二凸体を有し、前記第二凸体が前記第一凸体前縁に位置され、前記第一連結器が前記アダプターの第一連結孔までに連結する時、前記第二凸体が前記第一連結孔の第三溝孔上にチャックされ、前記第一凸体が下方へ移動する時、同時に第二凸体を連れて下方へ移動し且つ同時に前記第三溝孔を離れ、前記第一連結器を前記前記第一連結孔を離脱させる。
【００３４】
高密度光ファイバー接続口は、前記収容器はまた第三溝孔を有し、それは第二連結器の末端部分を収納するためので、且つ前記収容器が上蓋体及び下蓋体から構成し、前記上蓋体の第一後端が前記下蓋体の第二後端に枢軸連結され、前記下蓋体が前記上蓋体に対し回転して開き又は閉め、前記下蓋体が前記上蓋体に対し回転して開いたとき、前記第一連結器が前記第二連結器と位置交換でき、前記第一連結器が前記第三溝孔内に設置され、且つ前記第二連結器が前記第一溝孔内に設置される。
【００３５】
高密度光ファイバー接続口は、前記第二連結器の一端は第二光ファイバー線を連結でき、且つ前記収容器内にはまた二つの凸体を備え、それは作業者が組み立てる時に予め前記第一光ファイバー線及び前記第二光ファイバー線の予備長さを残すためので、前記第一連結器及び前記第二連結器が位置交換する時に引っ張りによる損害を避ける。
【００３６】
高密度光ファイバー接続口は、前記収容器表面には位置ガイド体を設け、前記位置ガイド体が前記押引ロッドのガイド孔内に位置され、その中に前記位置ガイド体の側壁に凸体を備え、前記ガイド孔側壁の台形凸体上にチャックされ、押引ロッドを前記収容器に固定させ、前記押引ロッドが前記収容器に対し水平方向に沿って移動できる。
【００３７】
高密度光ファイバー接続口は、前記収容器表面には位置ガイド体を設け、前記位置ガイド体が前記押引ロッドのガイド孔内に位置され、前記ガイド孔の最大長さが前記位置ガイド体の最大長さより大きい。
【００３８】
高密度光ファイバー接続口は、前記押引ロッドの取っ手部の後端底部には凹溝を備える。
【００３９】
高密度光ファイバー接続口は、前記第一翼部はまた凹溝を有し、前記凹溝が前記第一凸体前縁に位置され、前記押引ロッド前端に凸輪を備え、前記凸輪が前記凹溝上に位置され、前記押引ロッドが水平方向に沿って後方へ移動する時、前記凸輪が前記凹溝に当たり、凸体を下方へ移動させ且つ前記第一凸体の頂端を前記第二溝孔内までに移動させる。
【００４０】
先行技術と比べた本考案の有益な効果は、軽い力だけで高密度光ファイバー接続口と光ファイバーシステムとを離脱できる高密度光ファイバーシステムであることである。
【００４１】
以下、実施例、図面及び実用新案保護の範囲の説明によって、本考案の内容等及び他のアッセンブリー、ステップ、特徴、効果及び優れた点が更に明らかになる。
【図面の簡単な説明】
【００４２】
【図１】既存の高密度光ファイバー接続口の立体図である。
【図２Ａ】既存の高密度光ファイバー接続口をアダプターに取り付けた部分断面図である（押引ロッドのリングが翼部的のチャック部に被せたことを表示する。）
【図２Ｂ】既存の高密度光ファイバー接続口をアダプターに取り付けた部分断面図である（チャック部がリングを介して引きにして且つ下方へ移動）。
【図３】本考案第一実施例の光ファイバー接続口立体図である。
【図４】本考案第一実施例の光ファイバー接続口断面概要図である。
【図５】本考案第一実施例の光ファイバー接続口立体分解図である。
【図６】本考案第一実施例の立体図であり、押引ロッドが位置ガイド体に沿って後方へ移動した状態を示す。
【図７Ａ】本考案第一実施例の押引ロッドの翼部を引いた第一の動作概要図である。
【図７Ｂ】本考案第一実施例の押引ロッドの翼部を引いた第二の動作概要図である。
【図７Ｃ】本考案の第一実施例の光ファイバー接続口背面立体概要図である。
【図８Ａ】本考案第一実施例の押引ロッドの翼部を引いた第三の動作概要図である。
【図８Ｂ】本考案第一実施例の押引ロッドの翼部を引いた第四の動作概要図である。
【図９】本考案第一実施例の二つ連結器がお互いに交換する立体概要図である。
【図１０Ａ】本考案第二実施例の光ファイバー接続口立体図である。
【図１０Ｂ】本考案第二実施例的光ファイバー接続口立体分解図である。
【符号の説明】
【００４３】
10高密度光ファイバー接続口、11収容器、12連結器、13連結器外ケース、14ヘッドスリープ、15光ファイバー糸、16翼部、17押引ロッド、18リング、19チャック部、70アダプター、20高密度光ファイバー接続口、21収容器、22上蓋体、23下蓋体、24a、24b溝孔、25位置ガイド体、26上滑り溝、27下滑り溝、30a、30b連結器、31a、31b連結器外ケース、32a、32b翼部、33a、33b凸体、34a、34b凹溝、35突出部、40テール管、41滑りスリープ、43側アーム、42テールスリープ、44上滑りレール、45下滑りレール、50押引ロッド、51本体部、52取って部、54長形ガイド孔、53凸輪、60光ファイバー線、61光ファイバー糸、62外皮、70アダプター、71溝孔、39a、39b凸体、42a穿孔、28凸体、29連結部、29a枢軸孔、37凸体、38チャック凸体、24c、24d嵌め込み溝、56方形ガイド孔、57ガイド溝、58台形凸体、39a、39b凸体、48a、48b凸体、46a、46b繋ぎ口、36凸体、80弾性片。
【考案を実施するための形態】
【００４４】
図面により実施例を説明するが、挙げた実施例は説明を目的とするものであり、当業者は本考案の範囲においてこれらの実施例の変形、及び、本文に記載した以外の実施例を実施できる。
【００４５】
図面において本考案の説明性実施例を開示した。実施例は網羅的ではなく、他の実施例に切り替えることができる。スペース節約、および、説明の簡略化のために、明らかな部分又は必要がない細部を省いた。返って、ある実施例を実施したがあらゆる細部を開示しない。同じ数字が異なる図面に表した場合、それは同じ又はサブアセンブリー又はステップを指す。
【００４６】
以下の説明が図面と一緒に読まれる場合、十分に本考案の態様を更に理解できる。これらの図面は説明的であり、範囲を限定するもののではない。これら図面は、本考案の原理を強調することを目的とする縮尺は必ずしも正確ではない。
【００４７】
ここで挙げる説明的な実施例は他の実施例に切り替えることができる。スペースの節約又は説明の簡略化のために、明らかな部分又は必要がない細部を省いた。実施例のあらゆる細部を開示してはいない。
【００４８】
当業者を、この技術を理解し、さらに、本考案の内容及び考案の効果を理解するために具体的な実施例を挙げて、且つ図面を参照しながら詳細に本考案を説明する。
【００４９】
（第一実施例）
図3乃至図5に示すように、本考案高密度光ファイバー接続口20は二芯光ファイバー線60を（図7Aに示す）アダプター70のある光ファイバーシステムに連結する。前記光ファイバー線60は光ファイバー糸61及び外皮62を備え、外皮62は前記光ファイバー糸61外側を被覆している。前記高密度光ファイバー接続口20は収容器21、二つの連結器30a、30b、テール管40、及び押引ロッド50を有する。
【００５０】
前記収容器21は二芯光ファイバー線60を合流することに用い、上蓋体22及び下蓋体23を有し、且つ前記下蓋体23の一端には二つ連結部の29が備えられ、且つ、それは下蓋体23の二側に位置し、連結部29上に夫々枢軸連結孔29aを備え、この枢軸連結孔29aが前記上蓋体22二側の凸体28上に枢軸連結され、下蓋体23を凸体28を軸芯として上蓋体22に対し回転できて開くことができる。前記上蓋体22及び下蓋体23の間に二つ分離の溝孔24a、24bがあり、それは前記連結器30a、30bの末端部分を収納することに用いられる。前記溝孔24a、24bが前記収容器21の前端に位置され、その中の上蓋体22及び下蓋体23の溝孔24a、24b内には夫々対応的な嵌め溝24c、24dを備え、溝孔24a、24bに前記連結器30a、30bに収納した場合、連結器30a、30bの末端上における凸体46a、46bが夫々溝孔24a、24b内に嵌められ、連結器30a、30bを夫々溝孔24a、24b内に嵌め込まれた。前記上蓋体22の両側頂部に夫々滑り溝26を設け、且つ前記下蓋体23の両側底部に夫々滑り溝27を設け。前記収容器21には更に位置ガイド体25を有し位置ガイド体25が前記上蓋体22の頂面に位置され、位置ガイド体25の二側に夫々凸体37を設け、且つ凸体37の上縁に水平凸出のチャック凸体38を備え、このチャック凸体38の上側表面は位置ガイド体25端の下方且つ外延伸して傾斜辺となって、また、上蓋体22の後端に管体(番号付けなし)を備え、テール管40内に差し込むことができ、前記管体が二つの光ファイバー線60貫通する設置を提供できる。
【００５１】
前記テール管40には滑りスリープ41及びテールスリープ42を備え、前記テールスリープ42は前記滑りスリープ41の端部が後方へ延伸して形成されたので、その中に前記テールスリープ42内に穿孔42aを備え、上蓋体22後端の管体を収納でき且つ二つの光ファイバー線60が貫通することに用いる。前記滑りスリープ41はU形構造で、それに両側アーム43を備え、前記両側アーム43の内壁面には上、下滑りレール44、45を設け、上、下蓋体22、23の滑り溝26、27が上、下滑りレール44、45に沿って滑り入/滑り出できるようにして、連結及び連結器30a、30bを装着した収容器21を容易に前記滑りスリープ41に挿入/引き出せ、同時に側アーム43の上、下滑りレール44、45を上、下蓋体22、23的滑り溝26、27上に被せたことによって、上、下蓋体22、23を閉めさせる。
【００５２】
前記押引ロッド50は、前記高密度光ファイバー接続口20が着脱する時の力出し点を提供でき、前記押引ロッド50には本体部51、取って部52を備え、取って部52が前記本体部51のテール端に位置され、二つの分離の凸輪53が前記本体部51の前端に位置され、前記本体部51に長形ガイド孔54及び二つの方形ガイド孔56を備え、その中に長形ガイド孔54の側壁上に台形凸体58を備え、それは長形ガイド孔54内に環状に設け、台形凸体58且つ長形ガイド孔54長辺の二側に夫々ガイド溝57を備え、このガイド溝57の広さが位置ガイド体25の凸体37の広さより大きく、この長形ガイド孔54に前記上蓋体22の位置ガイド体25を嵌めこまれ、長形ガイド孔54に前記上蓋体22の位置ガイド体25が嵌め込まれた場合、位置ガイド体25の凸体37が長形ガイド孔54におけるガイド溝57に合わせて滑り入られ、且つガイド溝57頂端の台形凸体58が凸体38の上側斜辺上に抵触し嵌められ、持続的に下方へ推力を加えた時、台形凸体58が凸体38の上側に当たって斜辺に沿って下方へ滑り、チャック凸体38下表面を台形凸体58上表面に位置させ、このようにして本体部51はチャック凸体38とガイド溝57頂端の台形凸体58の間におけるチャック構成により、本体部51を上蓋体22の位置ガイド体25上に組み立て、同時に凸体37広さがガイド溝57的広さより小さいので、凸体37をガイド溝57内において水平に移動でき、即ち、本体部51が位置ガイド体25に対し水平に移動でき、前記位置ガイド体25のガイド溝57が前記押引ロッド50の水平移動距離を制御することにより、前記押引ロッド50を前記位置ガイド体25直線に沿って前進 (図7A、図7B)又は後退(図8A、図8B) でき、また、長形ガイド孔54の長さ(最大長さ)が位置ガイド体25の長さ(最大長さ)より大きい。
【００５３】
連結器30a、30bは夫々二つの連結器外ケース31a、31b及び二つの繋ぎ口46a、46bから構成し、二つの繋ぎ口46a、46bが夫々連結器外ケース31a、31b内に挿入でき、その中に二つの繋ぎ口46a、46bの色が異なる色を設置し、例えば赤色、黒色又は他の色、夫々信号転送端又は信号受信端を表し、二つの繋ぎ口46a、46bが連結器外ケース31a、31b内に設けた時、二つの繋ぎ口46a、46bの後端が連結器外ケース31a、31bから突出し、二つの繋ぎ口46a、46bの後端に夫々凸体48a、48bを設け、前記繋ぎ口46a、46bが夫々光ファイバー線60の光ファイバー糸61の貫通するためので、その中に、二つ連結器外ケース31a、31bの上表面前端に夫々後方へ延伸した翼部32a、32bを設け、前記翼部32a、32bが夫々連結器外ケース31a、31bと一体に成型し、前記翼部32a、32b一端(前端)が夫々連結器外ケース31a、31b上表面に接続し、前記翼部32a、32b他端(後端)がぶら下がって連結器外ケース31a、31b上表面方に位置され、前記翼部32a、32bに弾性を備え、前記翼部32a、32bの後端に夫々凸体33a、33bを設け、前記凸体33a、33bの前端に夫々凹溝34a、34bを設け、且つ凹溝34a、34b前端に夫々凸体39a、39bを設け、且つ水平に翼部32a、32bの二側壁から突出して、また、この翼部32a、32bの後端が弾性を備え、下方へ加えた推力により夫々凸体33a、33b及び凸体39a、39bを下方へ移動させる。連結器30a、30bと収容器21が組み立てた時、繋ぎ口46a、46b後端の凸体48a、48bが夫々上蓋体22及び下蓋体23になったチャック溝24c、24d上に嵌められ、繋ぎ口46a、46bの後端が上蓋体22及び下蓋体23の溝孔24a、24b内に位置され、押引ロッド50と収容器21の上蓋体22が組み立てられた時、押引ロッド50の本体部51の長形ガイド孔54に上蓋体22の位置ガイド体25が設置された時、前記翼部32a、32b後端の凸体33a、33bが夫々本体部51の二つの方形ガイド孔56を貫通して本体部51上表面から突出し、且つ本体部51前端に位置した二つの凸輪53が夫々翼部32a、32bの凹溝34a、34b上に位置される。
【００５４】
図6に示すように、作業者が前記押引ロッド50の取って部52にX方向の引き力を加えた時、押引ロッド50を後方へ限定距離を移動させ、前記長形ガイド孔54が前記位置ガイド体25の前端壁に当たるまでに止め、前記翼部32a、32b後端の凸体33a、33bが夫々方形ガイド孔56内に嵌め、そして本体部51前端の二つの凸輪53が夫々凸体33a、33b前縁表面上に抵触し、作業者が前記押引ロッド50を緩めた時、即ち、加えたX方向の引き力が失った時、翼部32a、32b後端の向上の弾力により、翼部32a、32b後端の凸体33a、33bを再び方形ガイド孔56外を越し出せ、同時に押引ロッド50を前記限定距離を前方へ移動させ、押引ロッド50を元の位置に戻らせる。
【００５５】
図7A及び図7Bは本考案高密度光ファイバー接続口20の連結器30a、30bが光ファイバーシステムのアダプター70中に取り付けられてカップリング連結となり、その中にこのアダプター70が複数な溝孔71備える。作業者が前記押引ロッド50の取っ手部52にX方向の推力を加えた時、連結器30a、30bを夫々アダプター70の収容溝孔内に押入れ、この場合、翼部32a、32b前端がアダプター70的溝孔に抵触し下方へ押し移動して、同時に凸体33a、33b及び凸体39a、39bを連れて下方へ移動し、前記翼部32a、32b後端の凸体33a、33bが夫々方形ガイド孔56内に嵌め入れ、作業者が持続に推力を加えた時、凸体39a、39bが溝孔71下方までに移動し且つ弾力によって上方へ溝孔71内までに移動し、凸体39a、39bを溝孔71の側壁上に嵌め込み、更に光ファイバー接続口20をアダプター70上に装着させた。
【００５６】
また、図7Cに示すように、押引ロッド50の取っ手部52の後端には凹溝58を設け、作業者が、例えば、光ファイバー接続口20番号、時間、色又は他の情報など光ファイバー接続口20に関連した情報を張ることができる。
【００５７】
図8A及び図8Bは本考案光ファイバー接続口20の連結器30a、30bが光ファイバーシステムのアダプター70を解除する(取り付け解除)動作概要図で、作業者が前記押引ロッド50の取って部52にX方向の引き力を加えた時、押引ロッド50を限定距離を後方へ移動させ、同時に長形ガイド孔54及び二の方形ガイド孔56を連れて後方へ移動し、前記長形ガイド孔54が前記位置ガイド体25の前端壁に当たるまでに止め、この時、翼部32a、32bの凸体33a、33bが方形ガイド孔56及び凸輪53によって押されて下方へ移動し、同時に凸体39a、39bを連れて下方へ移動しチャック関係を解除し且つアダプター70の溝孔71を離脱し、持続的なX方向の引き力によって、光ファイバー接続口20をアダプター70の収容溝孔を離脱する。
【００５８】
簡単に言えば、前記連結器30a、30bがアダプター70とチャック状態になった時、前記翼部32a、32bの突出部35が前記アダプター70の溝孔71中に差し込み(図7A及び図7B)、前記翼部32a、32bの凸体33a、33bが下方へ移動する時、前記突出部35を完全に前記溝孔71を離れ、且つ前記連結器30a、30bとアダプター70のチャック関係を解除する(図8A、8B)。
【００５９】
上述を纏めて、前記方形ガイド孔56及び凸輪53の移動(力加え)方向が前記押引ロッド50の引き方向に同一水平方向にあるので、ただ前記押引ロッド50に対し小さい引き力(即ち、軽い引き力)を加えれば、前記方形ガイド孔56側壁及び凸輪53は前記凸体33a、33bを下方へ押し、更に作業利便性を向上できる。
【００６０】
本考案の使用効果を増加するために、本考案の二つの連結器30a、30bは交換機能を持つ。換言に言えば、即ち、元の光発射チャンネルを光受信チャンネルに転換し、及び元の光受信チャンネルを光発射チャンネルに転換する。図9に示すように、上蓋体22中において二つの凸体36を設け、操作者が組み立てる時、予定された長さの光ファイバー線60を残し、連結器30a、30bが交換する時、引っ張りによる損害を避けることができ、二つの連結器30a、30bが交換しようする時、まず前記高密度光ファイバー接続口20を180度を回転し、前記下蓋体23を上方に位置させ、更に前記テール管40を引き出して、前記収容器21を完全に前記滑りスリープ41を離脱し、次ぎに前記下蓋体23を開き、この時、二つの連結器30a、30b位置(チャンネル)を交換でき、従って、光ファイバーシステムの要求に適合する。
【００６１】
（第二実施例）
図10A及び図10Bを参照しながら、第二実施例が第一実施例的構成と類似で、同一部品符号が上述第一実施例の記載を参考し、差異点は第二実施例は押引ロッド50及び位置ガイド体25の構造を使用しなく、第二実施例の上蓋体22の上表面に弾性片80を設け、この弾性片80が上蓋体22と一体に成型し、その中に弾性片80の一端が上蓋体22の後端表面に設け、弾性片80の他端が上蓋体22の前端上方に設け、且つ上蓋体22前端表面と接触しなく、本実施例の光ファイバー接続口20は組み立てた後、弾性片80前端が翼部32a、32bの凸体33a、33bに接触する。この第二実施例の光ファイバー接続口20はアダプター70までに取り付ける操作方式が作業者が弾性片80後端に推力を施すことを含み、連結器30a、30bが夫々アダプター70の収容溝孔内に押入れ、この時、翼部32a、32b前端がアダプター70の溝孔に当たり押され下方へ移動し、同時に凸体33a、33b及び凸体39a、39bを連れて下方へ移動し、前記翼部32a、32b後端の凸体33a、33bを夫々方形ガイド孔56内に嵌め入れ、作業者が持続に推力を加える時、凸体39a、39bが溝孔71下方へ移動し且つ弾力によって溝孔71内までに向上移動し、凸体39a、39bを溝孔71の側壁上にチャックされ、更に光ファイバー接続口20をアダプター70上に装着した。光ファイバー接続口20の連結器30a、30bは光ファイバーシステムのアダプター70を離脱(取り付け解除)する作業方式は作業者が弾性片80前端に対し下方への圧力をかけ、弾性片80前端が翼部32a、32bの凸体33a、33bを圧迫して下方へ移動し、同時に凸体39a、39bを連れて下方へ移動してチャック関係を解除し、作業者が更に後方へ引き光ファイバー接続口20をアダプター70の溝孔71を離脱させる。
【００６２】
以上の記載は本考案の説明目的であり、限定的ではなく、実用新案請求の範囲の精神と範囲を離れなずに、多くの修正、変化又は均等物への置き換えを適用しても、本考案的保護範囲内にあることを当業者は理解すべきである。
【図１】
0003217030.tif 000003
【図２Ａ】
0003217030.tif 000004
【図２Ｂ】
0003217030.tif 000005
【図３】
0003217030.tif 000006
【図４】
0003217030.tif 000007
【図５】
0003217030.tif 000008
【図６】
0003217030.tif 000009
【図７Ａ】
0003217030.tif 000010
【図７Ｂ】
0003217030.tif 000011
【図７Ｃ】
0003217030.tif 000012
【図８Ａ】
0003217030.tif 000013
【図８Ｂ】
0003217030.tif 000014
【図９】
0003217030.tif 000015
【図１０Ａ】
0003217030.tif 000016
【図１０Ｂ】
0003217030.tif 000017
【手続補正書】
【提出日】平成30年5月8日(2018.5.8)
【手続補正１】
【補正対象書類名】実用新案登録請求の範囲
【補正対象項目名】請求項６
【補正方法】変更
【補正の内容】
【請求項６】
またテール管を有し、前記テール管は前記収容器に被せられ、前記テール管が滑りスリープ及びテールスリープを有し、前記テールが前記滑りスリープの端部から後方へ延伸してなり、且つ前記収容器を前記滑りスリープ中に挿入したことを特徴とする請求項５記載の高密度光ファイバー接続口。
【手続補正２】
【補正対象書類名】実用新案登録請求の範囲
【補正対象項目名】請求項７
【補正方法】変更
【補正の内容】
【請求項７】
また滑りスリープを有し、前記滑りスリープは前記収容器に被せ、前記滑りスリープは上滑りレール及び下滑りレールを有し、前記上滑りレール及び下滑りレールが夫々前記上蓋体表面の第一滑り溝上及び前記下蓋体表面の第二滑り溝上に位置され、前記滑りスリープが前記収容器に対し水平方向へ移動でき、前記滑りスリープは前記収容器に被せたとき、前記下蓋体と前記上蓋体が閉め状態となったことを特徴とする請求項５記載の高密度光ファイバー接続口。
【手続補正３】
【補正対象書類名】実用新案登録請求の範囲
【補正対象項目名】請求項８
【補正方法】変更
【補正の内容】
【請求項８】
また滑りスリープを有し、前記滑りスリープは前記収容器に被せ、前記滑りスリープが側アームを有し前記収容器的の側壁上に被せ、前記側アームが上滑りレール及び下滑りレールを有し、前記上滑りレール及び下滑りレールが夫々前記上蓋体表面の第一滑り溝上及び前記下蓋体表面の第二滑り溝上に位置され、前記側アームが前記収容器において水平方向に沿って移動でき、前記側アームは前記収容器に被せた時、前記下蓋体と前記上蓋体が閉め状態となったことを特徴とする請求項５記載の高密度光ファイバー接続口。
【手続補正４】
【補正対象書類名】実用新案登録請求の範囲
【補正対象項目名】請求項９
【補正方法】変更
【補正の内容】
【請求項９】
またU型滑りスリープを有し、前記U型滑りスリープは前記収容器に被せられ、前記U型滑りスリープは第一側アーム及び第二側アームを有し、前記第一側アーム及び第二側アームが夫々前記収容器の二つの側壁上に被せられ、前記第一側アームが上滑りレール及び下滑りレールを有し、前記上滑りレール及び下滑りレールが夫々前記上蓋体表面における第一滑り溝上及び前記下蓋体表面の第二滑り溝上に位置され、前記U型滑りスリープが前記収容器に対し水平方向に沿って移動でき、前記U型滑りスリープは前記収容器に被せた時、前記下蓋体と前記上蓋体が閉め状態となったことを特徴とする請求項５記載の高密度光ファイバー接続口。
【手続補正５】
【補正対象書類名】実用新案登録請求の範囲
【補正対象項目名】請求項１０
【補正方法】変更
【補正の内容】
【請求項１０】
前記第一連結器は連結器外ケースを有し、前記連結器外ケース頂端に後方へ延伸し弾性のある翼部が設けられ、前記翼部の前端が前記連結器外ケース上に結合し、そして前記翼部の末端がぶら下がって前記第一連結器上に位置され、前記翼部の末端には第一凸体を設け、且つ前記翼部の末端と前記翼部の前端の間に第二凸体を有し、前記第一凸体が前記第二凸体と連動関係になり、前記第一連結器が前記アダプターの前記第一連結孔までに連結した時、前記第二凸体が前記第一連結孔の第三溝孔上にチャックし、前記第一凸体が下方へ移動する時、同時に第二凸体を連れて下方へ移動し且つ同時に前記第三溝孔を離れ、前記第一連結器を前記第一連結孔を離脱させることを特徴とする請求項５記載の高密度光ファイバー接続口。
【手続補正６】
【補正対象書類名】実用新案登録請求の範囲
【補正対象項目名】請求項１１
【補正方法】変更
【補正の内容】
【請求項１１】
前記第一連結器はまた弾性のある翼部を有し、それは前記収容器に押引ロッドを設けるためものであり、前記翼部の前端が前記第一連結器上に結合し、且つ前記翼部の末端がぶら下がって前記第一連結器上に位置され、前記翼部の末端には第一凸体を設け且つ前記押引ロッドのガイド孔内に位置され且つ頂端表面が前記ガイド孔から突出し、前記押引ロッドが水平へ移動する時、前記第一凸体が前記ガイド孔に押し出され下方へ移動し且つその頂端表面が前記ガイド孔内に位置されることを特徴とする請求項５記載の高密度光ファイバー接続口。
【手続補正７】
【補正対象書類名】実用新案登録請求の範囲
【補正対象項目名】請求項１２
【補正方法】変更
【補正の内容】
【請求項１２】
前記第一連結器はまた弾性のある第一翼部を有し、前記第二連結器はまた弾性のある第二翼部を有し、前記収容器にはまた押引ロッドを設け、前記第一翼部の前端が前記第一連結器上に結合し、且つ前記第一翼部の末端がぶら下がって前記第一連結器上に位置され、前記第二翼部の前端が前記第二連結器上に結合し、且つ前記第二翼部の末端がぶら下がって前記第二連結器上に位置され、前記第一翼部及び前記第二翼部の末端に夫々第一凸体及び第二凸体を設け、夫々前記押引ロッドの第一ガイド孔及び第二ガイド孔内に位置され、その中に前記第一凸体及び前記第二凸体の頂端表面が夫々前記第一ガイド孔及び前記第二ガイド孔から突出し、前記押引ロッドが水平方向に沿って移動する時、前記第一凸体及び前記第二凸体が前記第一ガイド孔及び前記第二ガイド孔に押し出されて下方へ移動し、前記第一凸体及び前記第二凸体の頂端表面を夫々前記ガイド孔内までに下降させることを特徴とする請求項５記載の高密度光ファイバー接続口。
【手続補正８】
【補正対象書類名】実用新案登録請求の範囲
【補正対象項目名】請求項１３
【補正方法】変更
【補正の内容】
【請求項１３】
前記第一連結器はまた弾性のある第一翼部を有し、前記第二連結器はまた弾性のある第二翼部を有し、前記収容器にまた押引ロッドを設けるためので、前記第一翼部の前端が前記第一連結器上に結合し、且つ前記第一翼部の末端がぶら下がって前記第一連結器上に位置され、前記第二翼部の前端が前記第二連結器上に結合し、且つ前記第二翼部の末端がぶら下がって前記第二連結器上に位置され、前記第一翼部及び前記第二翼部の末端に夫々第一凹溝及び一第二凹溝を設け、前記押引ロッド前端に第一凸輪及び一第二凸輪を設け、夫々前記第一凹溝及び前記第二凹溝上に位置され、前記押引ロッド水平方向に沿って移動する時、前記第一凹溝及び前記第二凹溝が前記第一凸輪及び前記第二凸輪に押し出されて下方へ移動することを特徴とする請求項５記載の高密度光ファイバー接続口。
【手続補正９】
【補正対象書類名】実用新案登録請求の範囲
【補正対象項目名】請求項１４
【補正方法】変更
【補正の内容】
【請求項１４】
前記第一連結器はまた弾性のある第一翼部を有し、前記第二連結器はまた弾性のある第二翼部を有し、前記収容器頂端においてまた弾性片を設け、前記第一翼部及び前記第二翼部の末端は第一凸体及び一第二凸体を有し且つ前記弾性片下方に位置され、前記弾性片が同時に前記第一凸体及び前記第二凸体の上表面に接触し、前記弾性片が下方へ圧迫する時、同時に前記第一凸体及び前記第二凸体を連れて下方へ移動することを特徴とする請求項５記載の高密度光ファイバー接続口。
【手続補正１０】
【補正対象書類名】実用新案登録請求の範囲
【補正対象項目名】請求項１５
【補正方法】変更
【補正の内容】
【請求項１５】
また押引ロッドを有し、前記押引ロッドが前記上蓋体上に設置され、前記上蓋体は位置ガイド体を有し、前記位置ガイド体が前記押引ロッドのガイド孔内に位置され、前記位置ガイド体の側壁に凸体チャックを設け、前記凸体チャックが前記ガイド孔側壁の台形凸体上に位置され、押引ロッドを前記上蓋体上に固定させるためので、前記押引ロッドが前記上蓋体上において水平方向に沿って移動することを特徴とする請求項５記載の高密度光ファイバー接続口。
【手続補正１１】
【補正対象書類名】実用新案登録請求の範囲
【補正対象項目名】請求項１６
【補正方法】変更
【補正の内容】
【請求項１６】
また押引ロッドを有し、それは前記上蓋体上に設置され、前記上蓋体に位置ガイド体を備え、前記位置ガイド体が前記押引ロッドのガイド孔内に位置され、前記ガイド孔の最大長さが前記位置ガイド体の最大長さより大きいし、前記押引ロッドが上蓋体上において水平方向に沿って移動することを特徴とする請求項５記載の高密度光ファイバー接続口。
【手続補正１２】
【補正対象書類名】実用新案登録請求の範囲
【補正対象項目名】請求項１７
【補正方法】変更
【補正の内容】
【請求項１７】
前記上蓋体内は有二つの凸体を有し、作業者が組立する時に予め前記第一光ファイバー線及び前記第二光ファイバー線の予想長さを残し、これは前記第一連結器及び前記第二連結器が位置交換する時に引っ張りによる損害を避けるためのものであることを特徴とする請求項５記載の高密度光ファイバー接続口。
【手続補正１３】
【補正対象書類名】実用新案登録請求の範囲
【補正対象項目名】請求項１８
【補正方法】変更
【補正の内容】
【請求項１８】
また押引ロッドを有し、前記押引ロッドが前記収容器に設置され、前記押引ロッドの取っ手部の後端底部に凹溝を持つことを特徴とする請求項５記載の高密度光ファイバー接続口。
【手続補正１４】
【補正対象書類名】実用新案登録請求の範囲
【補正対象項目名】請求項２５
【補正方法】変更
【補正の内容】
【請求項２５】
前記第一翼部上はまた第二凸体を有し、前記第二凸体が前記第一凸体前縁に位置され、前記第一連結器が前記アダプターの第一連結孔までに連結する時、前記第二凸体が前記第一連結孔の第三溝孔上にチャックされ、前記第一凸体が下方へ移動する時、同時に第二凸体を連れて下方へ移動し且つ同時に前記第三溝孔を離れ、前記第一連結器を前記第一連結孔を離脱させることを特徴とする請求項１９記載の高密度光ファイバー接続口。
【手続補正１５】
【補正対象書類名】実用新案登録請求の範囲
【補正対象項目名】請求項２７
【補正方法】変更
【補正の内容】
【請求項２７】
前記第二連結器の一端は第二光ファイバー線を連結でき、且つ前記収容器内にはまた二つの凸体を備え、それは作業者が組み立てる時に予め前記第一光ファイバー線及び前記第二光ファイバー線の予備長さを残すためので、前記第一連結器及び前記第二連結器が位置交換する時に引っ張りによる損害を避けることを特徴とする請求項２６記載の高密度光ファイバー接続口。